(57)【特許請求の範囲】
【請求項１】
表示パネル本体と、該表示パネル本体を表示動作させる表示駆動用アクティブマトリクスを備えた表示駆動用プリント基板との組み合わせにより構成され、複数の前記表示パネルを連結することにより表示する表示パネルであって、
前記表示駆動用アクティブマトリクスを備えた表示駆動用プリント基板は、前記パネル本体の表示面側と反対面上の裏面に配置され、
前記表示パネルを駆動する表示駆動用ドライバＩＣは複数の前記表示パネルを駆動し、
前記表示駆動用ドライバＩＣは、各々の前記表示パネルの外部の基板に設置され、
各々の隣接する前記表示パネルを接続する接続部は、各々の前記表示パネルの裏面に配置されることにより大型表示を可能にしたことを特徴とする表示パネル。
【発明の詳細な説明】
【技術分野】
【０００１】
本発明は、液晶表示装置のディスプレイ画面である表示パネルに関し、特に複数表示パネルを連結して大型表示を可能にした大型表示可能な表示パネルに関する。
【背景技術】
【０００２】
複数の液晶ディスプレイ装置（ＬＣＤ）やプラズマディスプレイ装置（ＰＤＰ）の表示パネルを複数並べて大型表示をする場合には、複数の表示パネルそれぞれに駆動用ドライバＩＣを接続する必要があるため（通常はＴＣＰをタブボンディングするため）、表示パネル部の端部に必ず接続領域が必要になる。そのために少なくとも表示パネルの二辺は表示領域として使用することはできなかった。
【０００３】
また、複数のそれぞれ表示パネルには、該表示パネルを制御するためのコントローラが搭載されているために、例えば４枚の表示パネルがあれば、コントローラは４個必要になり、これら４個のコントローラに対して、互いに連動するように制御しなければならなかった。
【発明の開示】
【発明が解決しようとする課題】
【０００４】
このように各々表示パネルに設けた駆動用ドライバＩＣの接続によって、表示領域が狭められてしまう要因としては、表示パネル材としてガラス基板を採用しているため、表示パネルの電極端子を表示パネルの表示面と同じ面に設けなければならないためである。
【０００５】
そこで、表示パネル材に、ガラス基板に替えてプリント基板を用いれば、電極端子を表示パネル面の裏面に設けることができるようになる。
【０００６】
また、パッシブマトリクスだけでなく、有機半導体やＦＥＴチップにより、アクティブマトリクスもプリント基板で作ることが可能になってきた。さらに、有機ＥＬや電子ペーパーのような新しい表示技術が現れ、表示パネルの構成から、より大型表示が可能になってきた。
【０００７】
本発明の課題は、これらの技術を基に、大型表示、超大型表示を構成する際に、より少ない電子部品で、効率よく制御回路を構成し、制御の容易な低コストの表示パネル体を提供することにある。
【課題を解決するための手段】
【０００８】
本発明の請求項１に係る発明は、表示パネル本体と、該表示パネル本体を表示動作させる表示駆動用アクティブマトリクスを備えた表示駆動用プリント基板との組み合わせにより構成され、複数の前記表示パネルを連結することにより表示する表示パネルであって、前記表示駆動用アクティブマトリクスを備えた表示駆動用プリント基板は、前記パネル本体の表示面側と反対面上の裏面に配置され、前記表示パネルを駆動する表示駆動用ドライバＩＣは複数の前記表示パネルを駆動し、前記表示駆動用ドライバＩＣは、各々の前記表示パネルの外部の基板に設置され、各々の隣接する前記表示パネルを接続する接続部は、各々の前記表示パネルの裏面に配置されることにより大型表示を可能にしたことを特徴とする表示パネルである。
【発明の効果】
【００１０】
本発明の大型表示可能な表示パネルによれば、複数の表示パネルを連結することにより大型表示可能な表示パネルであって、表示駆動用のドライバＩＣは、各々表示パネル自体には搭載せず、表示パネルの外部に設けるものである。また、各々表示パネルの互いの接続部は、各表示パネルの裏面に設けてあるため、各表示パネルの非表示部の面積を最小限に抑えることができ、ドライバ数も最少数に抑えることができる。
【００１１】
また、表示パネルが増加しても、必要とされるドライバの数は増大しないので、コストを抑えることができ、ドライバ数が減少するために、制御回路もより簡便になるものである。また、各表示パネルの非表示部の面積を最小限に抑えることができるため、複数の表示パネルを互いに隣接させて連結配置する際のボンディングエリアを確保でき、制御回路側の論理的制約を解消することができるものである。
【発明を実施するための最良の形態】
【００１２】
本発明を実施の形態に沿って以下に詳細に説明すれば、本発明の表示パネルは、表示媒体である表示パネル本体と、該表示パネル本体を表示動作させるアクティブマトリクス（表示駆動用ドライバＩＣなど）を備えたプリント基板とを組み合わせたものである。表示媒体としては、液晶表示パネル、有機ＥＬ表示パネル、無機ＥＬ表示パネル、電子ペーパーを用いることができる。
【００１３】
プリント基板のアクティブマトリクスには、有機半導体、無機半導体、またはＦＥＴ（Field Effect Transistor ；電界効果型トランジスタ）チップを用いることができる。ここで用いるプリント基板は、少なくとも４層の多層配線基板である。
【００１４】
アクティブマトリクスを、ＴＦＴの等価回路で説明すると、表示媒体を示すキャパシタの端子の一方が表示ドットパッド（表示用ピクセルパッド）となり、表示パネルの表側は表示電極板として、このパットが敷き詰められる。このキャパシタのもう一方は対向電極板であり、全ドット（全表示用ピクセル）の共通電極となり、表示ドットパッドとは別の場所に接続される。ゲート線、ソース線は、互いに直行するのが基本であり、プリント基板内部で、それぞれ別の内層にレイアウトされる。内層を通るこれらの線の両端部はプリント基板の裏面に引き出されて、コネクタ実装パッドに繋がる。
【００１５】
付加容量を示すキャパシタは、部品内蔵基板の技術を応用して、プリント基板に作りこんでもよいし、線を引き出して外付けのコンデンサを設けてもよい。ＴＦＴは、ソース線に繋がるソースと、ゲート線に繋がるゲートと、表示ドットパッドに繋がるドレインとの３つの端子を用意しなければならない。
【００１６】
これら３つの端子はプリント基板の裏面に引き出される。引き出された３つの端子は、形成するＴＦＴの種類によって、その端子の形状が異なる場合がある。ＦＥＴチップを実装する場合は、部品に合わせたパッドを形成すればよい。有機半導体、無機半導体によるＴＦＴを形成する場合は、それぞれの材料特性や形成法に適したパッド形状にしなければならない。
【００１７】
なお、有機ＥＬのような電流制御を要する表示パネル本体（表示媒体）では、１ドットを制御するのに、少なくとも２つのＴＦＴを必要とするため、等価回路は複雑になるが、基板をデザインする基本的な考え方は同じである。
【００１８】
ドライバＩＣは、ゲート線用、ソース線用としてそれぞれゲートドライバＩＣ、ソースドライバＩＣがある。それぞれをプリント基板に搭載する。このプリント基板には、ドライバＩＣからの出力が繋がるＴＦＴ制御出力用の出力コネクタと、ドライバＩＣへの入力を受けるドライバ制御入力用の入力コネクタと、次のプリント基板のドライバへの入力を
流すコネクタ（ドライバ制御出力用の出力コネクタ）との計３つのコネクタが設けられている。
【００１９】
出力コネクタは、先述のＴＦＴが形成されたプリント基板のゲートコネクタ、又はソースコネクタに繋げられる。ドライバＩＣへの入力はＩＣの仕様に合わせる必要があるが、ドライバＩＣを搭載したプリント基板同士をカスケード接続する必要があるならば、バッファＩＣやシリアルパラレル変換ＩＣなど設けてもよい。
【００２０】
ＩＣの端子が細かすぎる場合には、この部品については通常のプリント基板に替わりにＩＴＯなどにて配線が設けられたガラス基板を用いることもできる。
【００２１】
コントローラは、表示パネルの枚数（大きさ）に応じて、送信するコマンド／データの長さをプログラマブルに設定することができる。
【００２２】
図１は、複数枚（ｎ枚）の各々表示パネル本体ＤＰ1 〜ＤＰn （例えば液晶表示パネル又は有機ＥＬ表示パネル又は無機ＥＬ表示パネル又は電子ペーパーのそれぞれ表示用電極板）を隣接配置して、大型ディスプレイ画面として表示駆動させるための模式的な表示用駆動回路図である。
【００２３】
複数枚（ｎ枚）の各々表示パネル本体ＤＰ1 〜ＤＰn （表示用電極板）の表示用駆動回路は、図１に示すように、隣接配置した各々表示パネル本体ＤＰ1 〜ＤＰn を表示駆動させるアクティブマトリクスを備えたそれぞれプリント基板ＰAM1 〜ＰAMn と、各々プリント基板ＰAM1 〜ＰAMn に対してソース電源を供給するソースドライバプリント基板ＰSDと、各々プリント基板ＰAM1 〜ＰAMn に対してゲート電源を供給するゲートドライバプリント基板ＰGDと、該ソースドライバプリント基板ＰSDとゲートドライバプリント基板ＰGDの電源供給を制御するコントローラプリント基板ＰCOとを備えている。
【００２４】
図２は、図１に示す本発明の大型表示可能な表示パネルにおける表示用駆動回路の等価回路図である。
【００２５】
図２に示すように、本発明の大型表示可能な表示パネルの表示用駆動回路は、ソースドライバプリント基板ＰSDのソース配線ＳL と、それと直交する方向に図示したゲートドライバプリント基板ＰGDのゲート配線ＧL とを備える。
【００２６】
ソース配線ＳL とゲート配線ＧL には、各々表示パネル本体ＤＰ1 〜ＤＰn を表示駆動するＴＦＴ（Ｔ）と、付加容量ＰC （コンデンサ）からなるアクティブマトリクスを備えたそれぞれプリント基板ＰAM1 〜ＰAMn が接続されている。
【００２７】
前記各々表示パネル本体ＤＰ1 〜ＤＰn は、図示するように、それぞれ表示用電極板ＰTDと、共通電極板ＰTCとが互いに対向して設けられている。前記プリント基板ＰAM1 〜ＰAMn は、各々表示パネル本体ＤＰ1 〜ＤＰn の表示用電極板ＰTDの表示用電極を表示駆動させるアクティブマトリクスを備えている。
【００２８】
各々表示パネル本体ＤＰ1 〜ＤＰn は、前記プリント基板ＰAM1 〜ＰAMn と、共通電極板ＰTCの共通電極に所定の電位を付与する共通電極電源ＳTC1 〜ＳTCn （表示用電極板と平行に対向する共通電極板）との間に表示媒体として接続されている。
【００２９】
図３は、本発明の大型表示可能な表示パネルにおける表示用駆動回路（駆動回路部）と表示媒体（ディスプレイ画面部）との組み合わせ構造（階層構造）を示す立体的模式図である。
【００３０】
本発明の大型表示可能な表示パネルは、例えば、図３に示すように、パネル表面側（観察側）の共通電極板ＰTCと該共通電極板ＰTCと対向する表示用電極板ＰTDとからなる表示パネル本体ＤＰ1 〜ＤＰn と、該表示用電極板ＰTDと、ゲート線基板ＰGLと、ソース線基板ＰSLと、ＴＦＴ形成基板ＰT との４枚の基板を積層した積層回路基板Ｐとから構成されるものである。
【００３１】
表示パネル本体ＤＰ1 〜ＤＰn の共通電極板ＰTCと対向する表示用電極板ＰTDには、図３に示すように、液晶表示用、有機ＥＬ表示用、無機ＥＬ表示用、電子ペーパー表示用などの画像表示用の縦横方向に規則的に多数配列した微細なピクセルパターンからなる表示用画素層ＰD （画素形成層）を備え、観察側の共通電極板ＰTCには、その全面に透明電極膜（ＩＴＯ透明電極膜）を備えている。
【００３２】
図３に示すようにソース線基板ＰSL（ソース線層）には、ソース線ＳL がパターン形成され、ゲート線基板ＰGL（ゲート線層）には、ゲート線ＧL がパターン形成されている。ＴＦＴ形成基板ＰT （ＴＦＴ形成層）には、表示用電極基板ＰTD（表示用電極層）の各ピクセルパターン（表示用画素層ＰD ）を駆動制御するＴＦＴ回路層を備え、ソースドライバパッド層ＰSDと、ゲートドライバパッド層ＰGDと、ドレインパッド層Ｐd と、付加容量パッド層ＰC が形成されている。前記ＴＦＴ形成基板ＰT 上のＴＦＴ回路層は、前記ソースドライバパッドＰSDとドレインパッドＰd とゲートドライバパッドＰGDとを使用して、これらパッドの間に形成されている。
【００３３】
前記ソース線基板ＰSLのソース線ＳL は、接続ビアＪ1 （接続線）を介してＴＦＴ形成基板ＰT のソースドライバパッドＰSDに接続し、ゲート線基板ＰGLの一方のゲート線ＧL は、接続ビアＪ2 （接続線）を介してＴＦＴ形成基板ＰT のゲートドライバパッドＰGDに接続し、他方のゲート線ＧL は、接続ビアＪ3 （接続線）を介してＴＦＴ形成基板ＰT の付加容量パッドＰC に接続している。
【００３４】
そして、ＴＦＴ形成基板ＰT のドレインパッドＰd は、ＴＦＴ回路層を備えたソースドライバ層ＰSDと、ゲートドライバ層ＰGDと、付加容量層ＰC とにより、表示用電極板ＰTDの各ピクセルパターン（表示用画素層ＰD ）をＯＮ、ＯＦＦさせて、各ピクセルの画像表示を駆動制御するためのピクセル駆動制御信号（ＯＮ、ＯＦＦ信号）を出力する。その出力信号は、接続ビアＪ4 （接続線）を介して、液晶表示、有機ＥＬ表示、無機ＥＬ表示、電子ペーパーなどの表示用電極板ＰTDの表示用画素層ＰD の各ピクセルパターンに出力する。
【００３５】
このピクセル駆動制御信号に基づいて、互いに対向する表示用電極板ＰTDと共通電極板ＰTCとの間の電位がＯＮ、ＯＦＦ制御され、表示パネル本体ＤＰ1 〜ＤＰn は、所定の画像を表示するものである。
【図面の簡単な説明】
【００３６】
【図１】本発明の複数連結した大型表示可能な表示パネルの模式的表示用駆動回路。
【図２】本発明の複数連結した大型表示可能な表示パネルの駆動回路の等価回路。
【図３】本発明の大型表示可能な表示パネルにおける積層組合せ構造を示す立体的模式図。
【符号の説明】
【００３７】
Ｐ…積層回路基板
ＰT …ＴＦＴ形成基板
ＰTFT …ＴＦＴ回路層（ＴＦＴ回路基板）
ＰSL…ソース線層（ソース線基板）
ＰGL…ゲート線層（ゲート線基板）
ＰCO…電源コントローラ層（電源コントローラ基板）
ＰSD…ソースドライバ層（ソースドライバ基板）
ＰGD…ゲートドライバ層（ゲートドライバ基板）
ＰC …付加容量
Ｐd …ドレイン層（ドレイン基板）
ＰAM1 〜ＰAMn …アクティブマトリクスを備えた各々プリント基板
ＤＰ1 〜ＤＰn …各々表示パネル本体（表示用電極板）
ＰD …液晶表示、有機ＥＬ表示、無機ＥＬ表示、電子ペーパー表示などの表示層
ＰTD…表示用電極板
ＰTC…共通電極板
ＳTC1 〜ＳTCn …共通電極電源
【図１】
0005354140.tif 000002
【図２】
0005354140.tif 000003
【図３】
0005354140.tif 000004